(57)【要約】【課題】ストロー等の飲み口部に当接しているフード部の移動を、より円滑に行うことができる飲料容器を提供すること。【解決手段】容器本体１２０と蓋部１３０とを有し、蓋部は、容器本体内に収容された飲料を外部に供給するための弾性体より成る飲み口部１４０ａを配置するための飲み口支持部１５０と、飲み口支持部に配置された飲み口部を覆うためのフード部１１０と、を有し、フード部は、飲み口支持部に沿って移動することで、飲み口部を覆う被覆位置又は、飲み口部を開放する開放位置に選択的に配置可能な構成となっており、フード部が被覆位置に移動配置されたときは、飲み口部が屈曲状態でフード部内に収容され、被覆位置におけるフード部の飲み口部側には、飲み口部に当接するための突状の当接突部１１３が形成され、当接突部は、フード部の移動方向に沿って連接して配置されている飲料容器１００。【選択図】図６
2006008186.tif 000002
【特許請求の範囲】
【請求項１】
上面に開口を有し、飲料を収容する容器本体と、
前記容器本体の前記開口側に配置される蓋部と、を有する飲料容器であって、
前記蓋部は、前記容器本体内に収容された飲料を外部に供給するための弾性体より成る飲み口部を配置するための飲み口支持部と、
前記飲み口支持部に配置された前記飲み口部を覆うためのフード部と、を有し、
前記フード部は、前記飲み口支持部に沿って移動することで、前記飲み口部を覆う被覆位置又は、前記飲み口部を開放する開放位置に選択的に配置可能な構成となっており、
前記フード部が前記被覆位置に配置されたときは、前記飲み口部が屈曲状態で前記フード部内に収容され、
前記被覆位置における前記フード部の前記飲み口部側には、前記飲み口部に当接するための突状の当接突部が形成され、
前記当接突部は、前記フード部の移動方向に沿って連接して配置されていることを特徴とする飲料容器。
【請求項２】
前記飲み口部は略円筒状に形成されており、
前記当接突部は、複数配置され、
これら複数の当接突部は、前記飲み口部の長手方向に沿って形成される仮想中心線に沿って、この仮想中心線の両側に配置されることを特徴とする請求項１に記載の飲料容器。
【請求項３】
前記フード部を前記被覆位置としたときに、前記飲み口部の先端部側に対応する前記フード部の先端部から前記飲み口部の屈曲部に対応する前記フード部の屈曲対応部にわたって前記当接突部が形成されていることを特徴とする請求項１又は請求項２に記載の飲料容器。
【請求項４】
前記フード部を前記被覆位置としたときに、前記フード部の前記屈曲対応部に形成された前記当接突部が、前記フード部の前記先端部側よりも、前記飲み口部の屈曲部との接触領域が大きくなるように構成されていることを特徴とする請求項１乃至請求項３のいずれかに記載の飲料容器。
【請求項５】
前記フード部の外側には、利用者が操作するための操作部が形成されており、
前記操作部は、前記フード部の前記先端部から離間した位置である前記フード部の中央部領域に形成されていることを特徴とする請求項１乃至請求項４のいずれかに記載の飲料容器。
【請求項６】
前記飲み口支持部は、
通気部と、
前記飲み口部を装着する飲み口装着部と、を有し、
前記通気部は、屈曲状態で前記フード部内に収容された前記飲み口部の屈曲部近傍に形成されており、
前記通気部と前記飲み口装着部の間に、前記飲み口部を屈曲させるための屈曲案内部が形成されていること特徴とする請求項１乃至請求項５のいずれかに記載の飲料容器。
【請求項７】
前記容器本体における前記蓋部側に、利用者が指を配置するための保持部が設けられていることを特徴とする請求項１乃至請求項６のいずれかに記載の飲料容器。
【発明の詳細な説明】
【技術分野】
【０００１】
本発明は、ジュースや麦茶等のお茶類、ミルク等の飲料を収容する飲料容器に関するものである。
【背景技術】
【０００２】
従来より、例えば乳幼児等にジュース等の飲料を与えるための飲料容器にストローを装着したものが知られており、これらの飲料容器を使用してストローから飲用できるよう構成されている。
【０００３】
しかし、このようなストロー付き飲料容器は、飲料容器内とストローとが連通しているため、外出時等にバッグ内に入れて携帯した場合等に、収容されているミルク等がストローを介して外部に流出するおそれがあるという問題があった。
このため、ストロー付き飲料容器にフードを設けるタイプのストロー付き飲料容器が提案されている（例えば、特許文献１）。
すなわち、このようなタイプのストロー付き飲料容器は、特許文献１の図２及び図８に示すように、フードが飲料容器の上部側で開閉する機構となっている。そして、フードが閉状態では、特許文献１の図１０に示すように、フードがストローを屈曲させ、これにより、ストローの開口を閉状態にし、ミルク等がストローの開口から外部に流出しない構成となっている。
【０００４】
【特許文献１】特開２００２−３２６６５５号公報（図１０等）
【発明の開示】
【発明が解決しようとする課題】
【０００５】
ところで、このストローは、フードによって屈曲可能なように、弾力性に富む素材、例えば硬度が低い樹脂等で形成されている。
また、上述のように閉状態に配置されているフードを開状態に変更するには、ストローを屈曲させ押さえているフードをストローから離間する方向へ移動させる必要がある。
しかし、このように弾力性に富む素材よりなるストローを押圧しているフードを移動させると、フードの移動に伴ってストローも同じ方向に移動しようとするため、ストローが変形等し、フードの移動を阻害するという問題が生じる。
このような問題を解決するため、特許文献１の段落番号００１８では、摩擦抵抗を小さくするために、フードの内側に複数の小突起を突設する構成が開示されている。
しかしながら、この構成を本願の発明者等が実際に試したところ、依然として摩擦抵抗は大きく、フードを開状態に移動させ難しかった。そこで、フードの開閉を行いやすくするために、フード内部とストローとの間隔を広く取ってしまうと、確実にストローを屈曲させる機能に影響が出てしまい、密閉が不十分になってしまうという問題があった。
【０００６】
そこで、ストロー等の飲み口部に当接しているフード部の移動を、より円滑に行うことができる飲料容器を提供することを目的とする。
【課題を解決するための手段】
【０００７】
前記課題は、請求項１の発明によれば、上面に開口を有し、飲料を収容する容器本体と、前記容器本体の前記開口側に配置される蓋部と、を有する飲料容器であって、前記蓋部は、前記容器本体内に収容された飲料を外部に供給するための弾性体より成る飲み口部を配置するための飲み口支持部と、前記飲み口支持部に配置された前記飲み口部を覆うためのフード部と、を有し、前記フード部は、前記飲み口支持部に沿って移動することで、前記飲み口部を覆う被覆位置又は、前記飲み口部を開放する開放位置に選択的に配置可能な構成となっており、前記フード部が前記被覆位置に配置されたときは、前記飲み口部が屈曲状態で前記フード部内に収容され、前記被覆位置における前記フード部の前記飲み口部側には、前記飲み口部に当接するための突状の当接突部が形成され、前記当接突部は、前記フード部の移動方向に沿って連接して配置されていることを特徴とする飲料容器により達成される。
【０００８】
請求項１の発明によれば、被覆位置におけるフード部の飲み口部側には、飲み口部に当接するための突状の当接突部が形成されている。
このため、弾性体から成る飲み口部とフード部との接触面積は、フード部に形成される当接突部の部分に限定される。したがって、フード部の移動に伴い生じる摩擦力の発生を小さくすることができるので、フード部の移動を円滑に行うことができる。
しかも、当接突部は、フード部の移動方向に沿って連接して配置されているので、フード部の移動方向では摩擦力が変化しない。このため、フード部の移動を一定に保持することができ、フード部の移動をより円滑に行うことができる。
【０００９】
好ましくは、請求項２の発明によれば、請求項１の構成において、前記飲み口部は略円筒状に形成されており、前記当接突部は、複数配置され、これら複数の当接突部は、前記飲み口部の長手方向に沿って形成される仮想中心線に沿って、この仮想中心線の両側に配置されることを特徴とする飲料容器である。
【００１０】
請求項２の構成によれば、当接突部は、フード部の移動方向に沿って配置されていると共に、飲み口部の長手方向に沿って形成される仮想中心線に沿って、この仮想中心線の両側に配置されており、接触対象の前記飲み口部は略円筒状とされている。
このため、当接突部は、略円筒状とされた飲み口部に対して長手方向に沿った仮想中心線の両側に複数の当接突部がほぼ平行に配置される。
このため、フード部が移動する際に、当接突部により飲み口部の位置が保持されるため、移動に伴って飲み口部が歪んでしまうことがなく、しかも、最も幅が大きく、移動を阻害しやすい飲み口部の中心線を避けていることもあって、飲み口部の歪み等により、フード部の動きが阻害されることがない。
【００１１】
好ましくは、請求項３の発明によれば、請求項１又は請求項２の構成において、前記フード部を前記被覆位置としたときに、前記飲み口部の先端部側に対応する前記フード部の先端部から前記飲み口部の屈曲部に対応する前記フード部の屈曲対応部にわたって前記当接突部が形成されていることを特徴とする飲料容器である。
【００１２】
請求項３の構成によれば、フード部を被覆位置としたときに、飲み口部の先端部側に対応するフード部の先端部から飲み口部の屈曲部に対応するフード部の屈曲対応部にわたって当接突部が形成されている。
このため、フード部の先端部側に当接突部が形成されているので、最も摩擦抵抗が生じ易い端部に前記当接突部が形成されている。
つまり、フード部の先端側は、被覆位置から開放位置にかけて常に飲み口部と接触しており、しかも、屈曲された飲み口部が飲用状態に戻ろうとする力の影響を最も受ける部位であり、更に、摩擦抵抗に伴って開放位置に入る直前に、飲み口部における屈曲部が引き込まれるおそれもあって、最も摩擦抵抗が強い部位となる。そのため、フード部の先端側まで当接凸部を移動方向に沿って形成することで、フード部の移動に伴い、フード部の先端部が飲み口部の先端部側を引き込み、フード部の移動を阻害することを未然に防止することができる。
また、当接突部は、フード部の先端部から飲み口部の屈曲部に対応するフード部の屈曲対応部まで形成されている。つまり、フード部における屈曲対応部では、摩擦抵抗による影響は先端部側よりも小さいものの、被覆位置で確実に飲み口部の屈曲状態を維持する必要があり、屈曲対応部に設けられた当接突部によって、飲み口部の屈曲を保つことができる。
このように、当接突部が、飲み口部から当接部分にかけてのみに設けられているので、前記当接突部を最も効率的に配置する構成となっている。
【００１３】
好ましくは、請求項４の発明によれば、請求項１乃至請求項３のいずれかの構成において、前記フード部を前記被覆位置としたときに、前記フード部の前記屈曲対応部に形成された前記当接突部が、前記フード部の前記先端部側よりも、前記飲み口部の屈曲部との接触領域が大きくなるように構成されていることを特徴とする飲料容器である。
【００１４】
請求項４の構成によれば、フード部を被覆位置とした際、当接突部は、屈曲対応部の方が先端部側よりも、飲み口部との接触領域が大きくなるよう構成されている。
飲み口部の屈曲部は、被覆状態で確実に屈曲されないと、容器本体に収容された飲料が、飲み口部から漏れ出してしまうおそれがある。そこで、飲み口部の屈曲部に対する当接突部である屈曲対応部では、先端部よりも強く接触するよう構成することで、確実に被覆位置における屈曲部における屈曲を維持することができ、飲み口部からの漏れを防ぐことができる。
【００１５】
好ましくは、請求項５の発明によれば、請求項１乃至請求項４のいずれかの構成において、前記フード部の外側には、利用者が操作するための操作部が形成されており、前記操作部は、前記フード部の前記先端部から離間した位置である前記フード部の中央部領域に形成されていることを特徴とする飲料容器である。
【００１６】
請求項５の構成によれば、操作部は、フード部の先端部から離間した位置であるフード部の中央部領域に形成されている。
フード部の先端部側は、飲み口部と最も摩擦抵抗が強い部分と成っているため、フード部の先端部側に操作部を形成し、利用者が操作部を操作すると、利用者の操作によって、指で抑える方向に力がかかってしまい、より摩擦力が大きくなり、フード部の移動を阻害するおそれがある。更にフード部外面の先端側や後端側に操作部を形成すると、先端側の場合は被覆位置、後端側の場合は開放位置に配置された場合、操作部に指を配置しづらく、操作を行い難くなってしまう。
そこで、本発明では、操作部をフード部の先端部から離間した位置であるフード部の中央部領域に形成し、利用者の操作に際して加わる力によって、フード部の移動を阻害せず、操作しやすいようになっている。
【００１７】
好ましくは、請求項６の発明によれば、請求項１乃至請求項５にいずれかに記載の構成において、前記飲み口支持部は、通気部と、前記飲み口部を装着する飲み口装着部と、を有し、前記通気部は、屈曲状態で前記フード部内に収容された前記飲み口部の屈曲部近傍に形成されており、前記通気部と前記飲み口装着部の間に、前記飲み口部を屈曲させるための屈曲案内部が形成されていること特徴とする飲料容器である。
【００１８】
請求項６の構成によれば、飲み口支持部には、通気部が形成されているので、飲料容器の利用者が前記飲み口部を吸引することに伴う容器本体内の陰圧の発生を未然に防ぐことができる。また、容器本体内にお湯を入れると容器本体内が陽圧になり、飲み口部からお湯が噴き出すおそれがあるが、本発明では通気部によって陽圧の発生を防ぎ、お湯の噴き出し等を未然に防ぐことができる。
また、通気部は、飲み口支持部のうち、屈曲状態でフード部内に収容された飲み口部によって覆われる屈曲部近傍に形成される。
このため、飲料容器の携帯時等に、通気部は、飲み口部によって覆われるため、通気部から容器本体内の飲料が漏れ出すことを未然に防ぐことができる。
更に、通気部と飲み口装着部の間に、飲み口部を屈曲させるための屈曲案内部が形成されている。
このため、飲み口部は、屈曲案内部によって所定の位置で精度良く折り曲げられるため、フード部を被覆位置に移動させると、フード部により飲み口部は、精度良く前記通気部を覆うと共に、屈曲に伴って閉止されるように配置されることになり、通気部からの飲料の漏れをより確実に防止することができる。
【００１９】
好ましくは、請求項７の発明によれば、請求項１乃至請求項６のいずれかに記載の構成において、前記容器本体の前記蓋部側に利用者が指を配置するための保持部が設けられていることを特徴とする飲料容器である。
【００２０】
請求項７の構成によれば、容器本体に保持部が設けられているので、利用者が、操作部に一方の手の指を配置し、一方の手の他指や他方の手を配置することで、容器本体を保持して、フード部の操作を行い易くなる。
【発明の効果】
【００２１】
本発明は、ストロー等の飲み口部に当接しているフード部の移動を、より円滑に行うことができる飲料容器を提供するという利点がある。
【発明を実施するための最良の形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
（飲料容器１００の全体構成等について）
図１及び図２は、本発明の第１の実施の形態に係る飲料容器１００を示す概略斜視図である。図１に示すように、飲料容器１００は、例えばジュース等の飲料を収容するための容器本体である例えば、ボトル１２０を有している。ボトル１２０は、図において上面側に開口を有し、この開口から飲料を注いだり、洗浄等をする構成となっている。
また、このボトル１２０の開口側（上面側）には、蓋部である例えば、キャップ１３０が配置され、螺合等の嵌合によりボトル１２０に着脱可能に接続されている。キャップ１３０には、パッキン１３１が備えられているので、より確実に液体を密閉することができる構成となっている。
【００２４】
また、キャップ１３０の両側には支軸部１６０ａ、１６０ｂが、ボトル１２０から離間する方向に突出して形成されている。そして、支軸部１６０ａ、１６０ｂには、ハンドル１７０ａ、１７０ｂが回動可能に配置されている。
すなわち、ハンドル１７０ａ等は回動することで、図１に示すように利用者が把持可能な使用状態又は、図２に示すハンドル１７０ａ等の格納状態にその位置を変位させることが可能な構成となっている。
特に、図２に示す格納状態では、ハンドル１７０ａ等がボトル１２０に沿って配置されるので、利用者がバッグ内等に入れてもバッグ内でハンドル１７０ａ等が邪魔に成らない等、携帯や収納時にコンパクトとすることができる構成となっている。
【００２５】
キャップ１３０には、ボトル１２０内に収容された飲料を飲用するための弾性体よりなる飲み口部である例えば、ストロー飲み口１４０ａを配置するためのストロー支持部１５０を有している。このため、ストロー支持部１５０は、飲み口支持部の一例となっている。
そして、ストロー飲み口１４０ａは、図１や図３に示すように、ボトル１２０内側からストロー支持部１５０の貫通口である飲み口装着部１５４に挿入し、拡幅された座板部１４０ｃで保持されている。また、ストロー飲み口１４０ａは座板部１４０ｃの下側で、別体とされたストローチューブ１４０ｂと分離可能に接続されている。
【００２６】
また、ストロー支持部１５０には、ストロー飲み口１４０ａを覆うためのフード部である例えば、フード１１０が配置されている。
具体的には、ストロー支持部１５０には、略平行に２つの移動案内部１５１、１５１が略半円状に配置されており、回動軸１１０ａに連結されている。このため、フード１１０が、回動軸１１０ａを中心に回動し、移動案内部１５１、１５１に沿って移動することで、ストロー飲み口１４０ａを覆う被覆位置又は、ストロー飲み口１４０ａを開放する開放位置とを選択的に配置可能な構成となっている。
【００２７】
図１は、フード１１０が開放位置に配置された飲用状態を示し、図２は、フード１１０が被覆位置に配置された閉止（携帯）状態を示す。
また、フード１１０の外側には、利用者が操作するための操作部である例えば、操作つまみ１１１が配置されている。
したがって、利用者は、操作つまみ１１１を保持し、操作することで、フード１１０を容易に移動させることができる構成となっている。
【００２８】
図３は、図２における飲用状態と閉止状態におけるストロー飲み口１４０ａの状態を示す概略図である。図３に示すように、ストロー飲み口１４０ａは、弾性体であるシリコーンゴムや熱可塑性エラストマー、イソプレンゴム等の樹脂等により成るため、変形可能であり、屈曲状態でフード１１０内に収容される構成となっている。
すなわち、フード１１０は、開放位置である図１の状態から被覆位置である図２の状態（図３の矢印Ｒの左方向）に移動する際、図示するフード１１０の先端部にあるフード先端部１１２が、ストロー飲み口１４０ａに当接し、ストロー飲み口１４０ａを折り曲げ始める。そして、更に、被覆位置側に移動を進めて、フード１１０がストロー飲み口１４０ａを折り曲げた状態で、図３に示す所定の被覆位置に配置されると、ストロー飲み口１４０ａは屈曲状態でフード１１０内に収容されることになる。
したがって、ストロー飲み口１４０ａは、フード部１１０の移動に伴って屈曲され、その閉止状態で保持されるので、ストロー飲み口１４０ａは屈曲部分の内面同士が接触することで閉塞され、ボトル１２０内の飲料が外部に漏れ出さない構成となっている。
【００２９】
逆に、図３の被覆位置に配置されているフード１１０を開放位置に向かって（図３の矢印Ｒの右方向）移動を始めると、ストロー飲み口１４０ａが自らの弾性によって屈曲状態からの復元を開始する。そして、開放位置に達すると、図１に示すように、ストロー飲み口１４０ａがフード１１０から開放され、屈曲前の状態に復元する。
したがって、ストロー飲み口１４０ａの内面同士の接触がなくなり、ボトル１２０と連通するため、乳幼児等の利用者は、ストロー飲み口１４０ａを介して、ボトル１２０内の飲料を吸引によって飲むことができるようになる。
【００３０】
（ストロー支持部１５０の構成等について）
図４は、図１の飲料容器１００の概略平面図である。図４に示すようにストロー支持部１５０には、通気部である例えば、通気孔１５３が貫通するよう配置されている。図４及び図３に示す通気孔１５３は、ボトル１２０内部と連通している。
このため、乳幼児等がストロー飲み口１４０ａを吸引して、ボトル１２０内部が陰圧になると、外気をボトル１２０内部に流入させるため、陰圧に伴う吸引しづらさがなく、利用者が吸引し易い飲料容器１００となる。
また、ボトル１２０内にお湯等を入れた場合、ボトル１２０内部は陽圧となり、お湯等がストロー飲み口１４０ａを介して外部に噴出するおそれがあるが、本実施の形態では、通気孔１５３によって、ボトル１２０内部の圧力を外部に放出するため、陽圧の発生を防ぐことができるので、お湯等が噴出するおそれもない。
【００３１】
図３及び図４に示すように、ストロー支持部１５０には、ストロー飲み口１４０ａを装着するための貫通孔である飲み口装着口１５４が形成されている。また、ストロー支持部１５０には、飲み口装着口１５４と通気孔１５３の間となる位置に、ストロー飲み口１４０ａを屈曲するための屈曲案内部である例えば、折り板１５２が配置されている。
また、ストロー支持部１５０は、図４に示すように折り曲げられたストロー飲み口１４０ａを配置するための、ストロー配置部１５５が形成されている。
【００３２】
したがって、被覆位置に移動するために、飲み口装着口１５４に配置されたストロー飲み口１４０ａが、フード１１０に当接して移動すると、図１及び図４に示す折り板１５２により、所定の位置で精度良く折り曲げられる構成となっている。
すなわち、弾力性のあるストロー飲み口１４０ａが捻れる等、歪んだ状態で折り曲げられるのを未然に防止し、屈曲位置で内面が接合して密閉する構成となっている。
ストロー飲み口１４０ａが歪んで屈曲させられてフード１１０内に収容されると、フード１１０を図１に示す開放位置に向かって移動させる際、ストロー飲み口１４０ａが変形等してフード１１０の移動を阻害するおそれがある。
そこで、本実施の形態では、折り板１５２によりストロー飲み口１４０ａを精度良く所定の方向へ折り曲げることで、フード１１０の移動を阻害しないので、利用者が使い易い飲料容器１００となっている。
【００３３】
また、ストロー支持部１５０には、図１及び図４に示すように、ストロー配置部１５５が形成されているため、上述の折り板１５２で所定の方向、すなわち、ストロー配置部１５５の方向に折り曲げられたストロー飲み口１４０ａにおける先端側は、ストロー配置部１５５内に配置される構成となっており、フード１１０操作時に動きを妨げずらい。
【００３４】
また、通気孔１５３は、折り板１５２とストロー配置部１５５の間に形成されている。すなわち、ストロー飲み口１４０ａが、図３及び図４に示すように折り板１５２によって屈曲位置を規定されて、ストロー配置部１５５に向かって折り曲げられた際に、この折り曲げられたストロー飲み口１４０ａの外壁面によって被覆されるストロー支持部１５０の被覆部分に通気孔１５３が形成されている。
したがって、図３に示すように、ストロー飲み口１４０ａが折り曲げられ、フード１１０が被覆位置に配置されると、折り曲げられた弾性を有するストロー飲み口１４０ａによって、通気孔１５３が覆われ、ストロー飲み口１４０ａがパッキンとして機能することとなり、ボトル１２０内の飲料が通気孔１５３から漏れ出すことを防ぐことができる構成となっている。
しかも、ストロー飲み口１４０ａは、折り板１５２によって精度良く折り曲げられるので、正確に通気孔１５３を覆うように配置されることになる。
更に、通気孔１５３のボトル１２０内側では、通気孔１５３の開口両側縁に沿って設けられた平行する２本のリブ１５３ａを介して、ストロー飲み口１４０ａの座板部１４０ｃが配置されており、通気孔１５３からの通気を確保すると共に、不用意に外部に飲料が流出することを防いでいる。
【００３５】
（フード１１０等の構成について）
図５（ａ）は、図１のフード１１０の外面側を示す概略平面図であり、図５（ｂ）は、図１のフード１１０の内面側を示す概略底面図である。また、図６は、図１のフード１１０の内面を示す概略斜視図である。
図５（ｂ）及び図６に示すように、フード１１０のストロー支持部１５０側、すなわち、内側には、突状の当接突部である例えば、２つのリブ１１３、１１３が形成されており、この２つのリブ１１３、１１３は、フード１１０が図３に示すように被覆位置に配置されたときに、ストロー飲み口１４０ａに当接するよう配置される。つまり、フード１１０が図１の開放位置から図３の被覆位置に移動する際や、被覆位置で閉止された状態、被覆位置から開放位置に移動する際において、ストロー飲み口１４０ａの壁面に直接、当接するように配置されている。
【００３６】
また、２つのリブ１１３、１１３は、図１等に示すフード１１０の移動方向、すなわち、図５（ｂ）の左右方向に沿って、連続した線状に形成されている。すなわち、リブ１１３は、点状ではなく突部が連接して筋状と成っている。
このようにフード１１０の内側にリブ１１３を設けることで、図３に示すようにフード１１０が、弾性を有して摩擦抵抗が大きいストロー飲み口１４０ａに当接する場合、フード１１０の内側全体がストロー飲み口１４０ａに当接するのではなく、フード１１０の移動方向に沿って、連続した筋状に配置された２つのリブ１１３、１１３がストロー飲み口１４０ａに当接することになる。
したがって、両者の当接（接触）面積が小さくなり、摩擦力の発生も小さくすることができ、しかも、常にストロー飲み口１４０ａと接触し、その状態がフード１１０の位置によって変わることがない安定した状態となるため、フード１１０の移動が円滑になり、利用者は、従来と異なり、容易にフード１１０を移動させることができる。
【００３７】
また、図５（ｂ）に示すようにフード１１０の２つのリブ１１３、１１３は、フード１１０の図において上下方向における中心である仮想中心線Ｃに沿って配置され、且つ、仮想中心線Ｃの両側に略平行に均等に配置されており、図５（ｂ）の仮想中心線Ｃは、図３の円筒状のストロー飲み口１４０ａが折り曲げられる方向に沿って形成されている。
このため、フード１１０が移動する場合、２つのリブ１１３、１１３により、ストロー飲み口１４０ａの屈曲方向が規制されるため、ストロー飲み口１４０ａが歪んで配置されることがなく、しかも、円筒状のストロー飲み口１４０ａが接触する頂点となる仮想中心線Ｃを避けた位置にリブ１１３が配置されているため、ストロー飲み口１４０ａがフード１１０に強く押し当たることがないため、ストロー飲み口１４０ａの歪みや変形等により、フード１１０の移動が阻害されることがない。
【００３８】
また、２つのリブ１１３、１１３は、フード１１０を図３の被覆位置としたときに、ストロー飲み口１４０ａの先端部側に対応するフード１１０の被覆位置への移動方向先端となるフード先端部１１２（図３及び図６参照）からストロー飲み口１４０ａの屈曲部１４１ａ（図３参照）に対応するフード１１０の屈曲対応部１１４（図６参照）にわたって形成されている。
【００３９】
このように２つのリブ１１３、１１３が、フード１１０のフード先端部１１２から形成されている。すなわち、図３の被覆位置に配置されているフード１１０を開放位置側へ移動させる場合、ストロー飲み口１４０ａの先端部と当接する部分に相当する、フード１１０のフード先端部１１２が、常に元の形状に復元しようとするストロー飲み口１４０ａにおける先端側に当接しており、更に、フード１１０が被覆位置から開放位置にかけて移動するに当って、常にストロー飲み口１４０ａに接触していることもあって、最も摩擦抵抗が大きい。
そこで、本実施の形態では、最も摩擦力が生じやすい部分であるフード先端部１１２からリブ１１３、１１３を形成している。
したがって、ストロー飲み口１４０ａの先端部や屈曲部１４１ａとフード先端部１１２との間に大きな摩擦力が生じないので、フード１１０の移動に伴い、フード先端部１１２がストロー飲み口１４０ａの先端部側を摩擦抵抗によって引き込むことがなく、また、摩擦抵抗で引っ張られて、フード１１０とストロー支持部１５０との隙間にストロー飲み口１４０ａが入り込もうとすることも防ぐため、フード１１０の移動を阻害することを未然に防止することができる。
【００４０】
また、２つのリブ１１３、１１３は、図６に示すように、フード先端部１１２から屈曲対応部１１４まで形成されている。すなわち、図３に示すように、リブ１１３は、屈曲したストロー飲み口１４０ａとの当接部分（図４及び図６矢印Ｐで示す部分）まで設けられているので、摩擦抵抗を低減する。しかも、屈曲対応部１１４は、ストロー飲み口１４０ａの屈曲部１４１ａと通気孔１５２の上方に配置されているため、ストロー飲み口１４０ａの屈曲状態を確実に維持しつつ、通気孔１５２に押し付けることができるため、ストロー飲み口１４０ａ及び通気孔１５２の密閉を確保できる等、リブ１１３を最も効率的に配置する構成となっている。
なお、本実施の形態では、リブ１１３を筋状に２本形成したが、本発明はこれに限らず、３本以上のリブを形成してもよいが、リブは、偶数本として仮想中心線Ｃを避けた形態とすることが好ましい。
【００４１】
図３に示すように、操作つまみ１１１は、フード１１０のフード先端部１１２から離間した位置であるフード１１０の中央部領域に形成されている。
操作つまみ１１１をフード先端部１１２近傍に配置すると、操作者の力がフード先端部１１２に加わることになる。フード先端部１１２は、上述のように、ストロー飲み口１４０ａと最も摩擦力が生じる部分である。このため、この部分にさらに操作者の力が加わると、より大きな摩擦力が生じ、フード１１０の移動をより阻害する要因となる。
更に、操作つまみ１１１をフード先端部１１２や後端部側に配置すると、後述するように操作つまみ１１１に指を配置する際に、フード先端部１１２側では被覆位置にある状態、フード後端側では開放位置にある状態では、指を配置しづらく、操作を行い難くなってしまう。
【００４２】
そこで、本実施の形態では、操作者の力が加わる操作つまみ１１１をフード先端部１１１２及び後端部から離間した位置である中央部領域に形成し、利用者が指を配置しやすく、その操作に際し加わる力によって、フードの移動を阻害しないように構成されている。
【００４３】
図４に示すように、ストロー支持部１５０の上面には支持部側突起部である例えば、支持部側突起１５６が形成されている。また、図６に示すように、フード１１０の内側には、フード部側突起部である例えば、開放位置用突起１１５，１１５と被覆位置用突起１１６、１１６が形成されている。
これら開放位置用突起１１５及び被覆位置用突起１１６は、フード１１０の移動に対応して、支持部側突起１５６と係合可能な構成となっている。
【００４４】
すなわち、図６の開放位置用突起１１５が、図４の支持部側突起１５６と係合する場合は、支持部側突起１５６を開放位置用突起１１５が乗り越えて、支持部突起１５６の移動方向における奥側（図３における右側）に位置するため、フード先端部１１２がストロー飲み口１４０ａを露出するよう配置されるので、フード１１０は開放位置となり、不用意に被覆位置に移動することが規制される。
一方、図６の被覆位置用突起１１６が、図４の支持部側突起１５６と係合する場合は、
図３に示すように、支持部側突起１５６を被覆位置用突起１１６が乗り越えて、支持部突起１５６の移動方向における手前側（図３における左側）に位置するため、フード１１０はストロー飲み口１４０ａを屈曲させた状態である被覆位置となり、ストロー飲み口１４０ａの屈曲が復元しようとする等によって、不用意に開放位置に移動することが規制される。
したがって、開放位置用突起１１５及び被覆位置用突起１１６と支持部側突起１５６との係合によってフード１１０が被覆位置又は開放位置に保持される構成となっている。
【００４５】
このように、フード１１０の内側に開放位置用突起１１５及び被覆位置用突起１１６を設け、一方、ストロー支持部１５０に支持部側突起１５６を設け、両者を係合させる構成とすることで、フード１１０を開放位置又は被覆位置で位置決めすることができる。
なお、開放位置用突起１１５と被覆位置用突起１１６をフード支持部１５０に形成し、支持部側突起１５６をフード１１０内面に設けてもよく、被覆位置用突起１１６と支持部側突起１５６のみで構成してもよい。
【００４６】
また、開放位置用突起１１５及び被覆位置用突起１１６が支持部側突起１５６を乗り越えるとき等に接触音がするため、利用者は、フード１１０が位置決めされたことを聴覚により確認することができる。
すなわち、開放位置用突起１１５及び被覆位置用突起１１６と支持部側突起１５６との係合又は係合解除や、キャップ１３０の壁面にフード先端部１１２や後端部が接触する際等に接触音によって開放位置又は被覆位置の解除又はセットが利用者に報知される構成となっている。
【００４７】
また、図１に示すように、ボトル１２０のキャップ１３０側には利用者が保持するための保持部である例えば保持用凹部１２１が設けられている。この保持用凹部１２１はボトル１２０の側壁面全周を凹状に窪ませることで形成している。
すなわち、利用者が、フード１１０の開閉動作等を行う際にボトル１２０を保持する必要があるが、本実施の形態では、利用者がボトル１２０を保持し易いよう、ボトル１２０の上部に保持用凹部１２１を設けている。これにより、例えば利用者は一方の手の親指を操作つまみ１１１に当接させ、その他の指を保持用凹部１２１に配置して、親指に力を入れて操作することや、示指の側面を操作つまみ１１１に当接させ、親指と薬指や小指で保持用凹部１２１を挟むように保持して示指に力を入れて操作する等、ボトル１２０を保持して操作し易いため、フード１１０の移動動作も行い易い構成となっている。
【００４８】
（第１の実施の形態における変形例）
図７は第１の実施の形態の飲料容器１００の第１の変形例の要部を示す概略説明図であって、フード２１０の内面を示す概略斜視図である。
本変形例の構成の多くは第１の実施の形態と共通であるため、共通の構成は同一符号等として、説明を省略し、以下相違点を中心に説明する。
図７に示されるように、本変形例では第１の実施の形態の図６に示すリブ１１３のみならず、屈曲対応部１１４の領域において、３本の筋状とされた押えリブ１１７が屈曲対応部１１４の両側と中間位置に、平行となるよう配置されている。
このとき、リブ１１３の外側に配置する押えリブ１１７は、屈曲部１４１ａで潰れたストロー飲み口１４０ａの幅（太さ）の両側縁に沿った位置に形成されている。
元々、リブ１１３における屈曲対応部１１４領域は、ストロー飲み口１４０ａの摩擦抵抗を受けづらく、フード２１０を動かし易くする機能よりも、ストロー屈曲部１４１ａにおける屈曲を維持し、ストロー飲み口１４０ａからの漏れを防ぐと共に、通気孔１５２を塞ぐために押さえつける密閉機能が重要とされており、この押えリブ１１７を配置することによって、より確実に密閉機能を発揮することができる。
【００４９】
なお、本変形例では、３本の押えリブ１１７を形成しているが、より密閉機能を高めるために、押えリブ１１７と屈曲対応部１１４を繋いで、略長方形状の凸部としてリブを形成し、より確実に屈曲対応部１１４による押し付けを行えるよう構成してもよい。
また、リブ１１３の高さを、フード先端部１１２側に対して、屈曲対応部１１４側が高くなるよう構成してもよい。このとき、リブ１１３の高さを、屈曲対応部１１４の部位で段状に高くするのではなく、フード先端部２１２側から屈曲対応部１１４に向かってなだらかに高さを高めていくことで、屈曲対応部１１４における押し付けを、より確実に行えるよう構成することが好ましい。
【００５０】
（第２の実施の形態）
図８は、第２の実施の形態に係る飲料容器３００を示す概略斜視図である。
本実施の形態の構成の多くは第１の実施の形態と共通であるため、共通の構成は同一符号等として、説明を省略し、以下相違点を中心に説明する。
本実施の形態は、第１の実施の形態と異なり、図８に示すように、底面に熱可塑性エラストマー等による滑り止め３２２が一体とされたコップ状のカップ３２０に、ハンドル３７０ａ、３７０ｂを両側に備えたキャップ３３０が着脱可能に取り付けられている。
また、図８はフード３１０によって被覆された被覆位置を示しており、キャップ３３０には、図示しないキャップ支持部やストロー飲み口等が配置されている。
そして、フード３１０はキャップ３３０に係止されており、平面状とされた移動案内部３５１に沿って、矢印Ｙの方向に移動可能とされているため、凹状とされた操作つまみ３１１に親指を配置して、矢印Ｙの方向に水平移動すると、屈曲されたストロー飲み口が上方に突出する開放位置となる構成とされている。
このとき、フード３１０の内面には移動方向（矢印Ｙ方向または矢印Ｙの逆方向）に沿って、ストロー飲み口と当接する図示しない筋状とされた当接突起部であるリブが形成されている。このような、フード３１０を水平方向に移動する飲料容器３００であっても、フード３１０の移動方向に沿ったリブによって、容易にフード３１０の進退を操作することができる。
【００５１】
（第３の実施の形態）
図９は、第３の実施の形態に係る飲料容器４００を示す概略正面図である。
本実施の形態の構成の多くは第１の実施の形態と共通であるため、共通の構成は同一符号等として、説明を省略し、以下相違点を中心に説明する。
本実施の形態は、第１の実施の形態と異なり、ストロー飲み口が露出した開放位置を示す図９にあるように、キャップ４３０上にストロー支持部４５０が形成され、ストロー支持部４５０を覆うようにフード４１０が配置されて、フード４１０に設けられたストロー孔４１７から飛び出すようにストロー飲み口４４０ａが配置されている。
この状態から、飲料容器４００を閉止状態にするために、ストロー支持部４５０に対してフード４１０を図９の矢印Ｚ方向に回転させると、ストロー飲み口４４０ａはストロー孔４１７が当接し、ストロー孔４１７内に入り込み、フード４１０内に収納されるように変形されることになる。
このとき、フード４１０の内面には回転方向（矢印Ｚ方向）に沿って、ストロー飲み口４４０ａと当接する図示しない筋状とされた当接突起部であるリブが形成されている。このような、フード４１０を回転方向に移動する飲料容器４００であっても、フード４１０の回転方向に沿ったリブによって、容易にフード４１０の回転を操作することができる。
【００５２】
本発明は、上述の各実施の形態に限定されない。上述の各実施の形態は、相互に組み合わせて構成するようにしてもよい。
【図面の簡単な説明】
【００５３】
【図１】本発明の実施の形態に係る飲料容器を示す概略斜視図である。
【図２】本発明の実施の形態に係る飲料容器を示す他の概略斜視図である。
【図３】図２におけるストロー飲み口の状態を示す概略図である。
【図４】図１の飲料容器の概略平面図である。
【図５】（ａ）は、図１のフードの概略平面図であり、（ｂ）は、図１のフードの概略底面図である。
【図６】図１のフードの概略斜視図である。
【図７】第１の実施の形態における変形例の要部を示す概略斜視図である。
【図８】第２の実施の形態に係る飲料容器を示す概略斜視図である。
【図９】第３の実施の形態に係る飲料容器を示す概略正面図である。
【符号の説明】
【００５４】
１００・・・飲料容器、１１０・・・フード、１１１・・・操作つまみ、１１２・・・フード先端部、１１３・・・リブ、１１４・・・屈曲対応部、１１５・・・開放位置用突起、１１６・・・被覆位置用突起、１２０・・・ボトル、１２１・・・保持用凹部、１３０・・・キャップ、１４０ａ・・・ストロー飲み口、１４１ａ・・・屈曲部、１４０ｂ・・・ストローチューブ、１５０・・・ストロー支持部、１５１・・・移動案内部、１５２・・・折り板、１５３・・・通気孔、１５４・・・飲み口装着口、１５５・・・ストロー配置部、１５６・・・支持部側突起、１７０ａ、１７０ｂ・・・ハンドル、Ｃ・・・仮想中心線。
【図１】
2006008186.tif 000003
【図２】
2006008186.tif 000004
【図３】
2006008186.tif 000005
【図４】
2006008186.tif 000006
【図５】
2006008186.tif 000007
【図６】
2006008186.tif 000008
【図７】
2006008186.tif 000009
【図８】
2006008186.tif 000010
【図９】
2006008186.tif 000011
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
上面に開口を有し、飲料を収容する容器本体と、
前記容器本体の前記開口側に配置される蓋部と、を有する飲料容器であって、
前記蓋部は、前記容器本体内に収容された飲料を外部に供給するための弾性体より成る飲み口部を配置するための飲み口支持部と、
前記飲み口支持部に配置された前記飲み口部を覆うためのフード部と、を有し、
前記フード部は、前記飲み口支持部に沿って移動することで、前記飲み口部を覆う被覆位置又は、前記飲み口部を開放する開放位置に選択的に配置可能な構成となっており、
前記フード部が前記被覆位置に配置されたときは、前記飲み口部が屈曲状態で前記フード部内に収容され、
前記被覆位置における前記フード部の前記飲み口部側には、前記飲み口部に当接するための突状の当接突部が形成され、
前記当接突部は、前記フード部の移動方向に沿って連接して筋状に配置され、
前記飲み口部は略円筒状に形成されており、
前記当接突部は、複数配置され、
これら複数の当接突部は、前記飲み口部の長手方向に沿って形成される仮想中心線に沿って、この仮想中心線の両側に略平行に均等に配置され、
前記フード部を前記被覆位置としたときに、前記飲み口部の先端部側に対応する前記フード部の先端部から前記飲み口部の屈曲部に対応する前記フード部の屈曲対応部にわたって前記当接突部が形成されていることを特徴とする飲料容器。
【請求項２】
前記フード部を前記被覆位置としたときに、前記フード部の前記屈曲対応部に形成された前記当接突部の近傍に、複数の筋状とされた押さえリブが相互に平行となるように配置されていることを特徴とする請求項１に記載の飲料容器。
【請求項３】
前記フード部の外側には、利用者が操作するための操作部が形成されており、
前記操作部は、前記フード部の前記先端部から離間した位置である前記フード部の中央部領域に形成されていることを特徴とする請求項１又は請求項２に記載の飲料容器。
【請求項４】
前記飲み口支持部は、
通気部と、
前記飲み口部を装着する飲み口装着部と、を有し、
前記通気部は、屈曲状態で前記フード部内に収容された前記飲み口部の屈曲部近傍に形成されており、
前記通気部と前記飲み口装着部の間に、前記飲み口部を屈曲させるための屈曲案内部が形成されていること特徴とする請求項１乃至請求項３のいずれかに記載の飲料容器。
【請求項５】
前記容器本体における前記蓋部側に、利用者が指を配置するための保持部が設けられていることを特徴とする請求項１乃至請求項４のいずれかに記載の飲料容器。
【手続補正２】
【補正対象書類名】明細書
【補正対象項目名】０００７
【補正方法】変更
【補正の内容】
【０００７】
前記課題は、請求項１の発明によれば、上面に開口を有し、飲料を収容する容器本体と、前記容器本体の前記開口側に配置される蓋部と、を有する飲料容器であって、前記蓋部は、前記容器本体内に収容された飲料を外部に供給するための弾性体より成る飲み口部を配置するための飲み口支持部と、前記飲み口支持部に配置された前記飲み口部を覆うためのフード部と、を有し、前記フード部は、前記飲み口支持部に沿って移動することで、前記飲み口部を覆う被覆位置又は、前記飲み口部を開放する開放位置に選択的に配置可能な構成となっており、前記フード部が前記被覆位置に配置されたときは、前記飲み口部が屈曲状態で前記フード部内に収容され、前記被覆位置における前記フード部の前記飲み口部側には、前記飲み口部に当接するための突状の当接突部が形成され、前記当接突部は、前記フード部の移動方向に沿って連接して筋状に配置され、前記飲み口部は略円筒状に形成されており、前記当接突部は、複数配置され、これら複数の当接突部は、前記飲み口部の長手方向に沿って形成される仮想中心線に沿って、この仮想中心線の両側に略平行に均等に配置され、前記フード部を前記被覆位置としたときに、前記飲み口部の先端部側に対応する前記フード部の先端部から前記飲み口部の屈曲部に対応する前記フード部の屈曲対応部にわたって前記当接突部が形成されていることを特徴とする飲料容器により達成される。
【手続補正３】
【補正対象書類名】明細書
【補正対象項目名】０００８
【補正方法】変更
【補正の内容】
【０００８】
請求項１の構成によれば、被覆位置におけるフード部の飲み口部側には、飲み口部に当接するための突状の当接突部が形成されている。
このため、弾性体から成る飲み口部とフード部との接触面積は、フード部に形成される当接突部の部分に限定される。したがって、フード部の移動に伴い生じる摩擦力の発生を小さくすることができるので、フード部の移動を円滑に行うことができる。
しかも、当接突部は、フード部の移動方向に沿って連接して筋状に配置されているので、フード部の移動方向では摩擦力が変化しない。このため、フード部の移動を一定に保持することができ、フード部の移動をより円滑に行うことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
前記構成によれば、接触対象の飲み口部は略円筒状に形成されており、当接突部は、複数配置され、これら複数の当接突部は、飲み口部の長手方向に沿って形成される仮想中心線に沿って、この仮想中心線の両側に略平行に均等に配置されているので、当接突部は、フード部の移動方向に沿って配置されている。
このため、当接突部は、略円筒状とされた飲み口部に対して長手方向に沿った仮想中心線の両側に複数の当接突部がほぼ平行に配置される。
このため、フード部が移動する際に、当接突部により飲み口部の位置が保持されるため、移動に伴って飲み口部が歪んでしまうことがなく、しかも、最も幅が大きく、移動を阻害しやすい飲み口部の中心線を避けていることもあって、飲み口部の歪み等により、フード部の動きが阻害されることがない。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
前記構成によれば、フード部を被覆位置としたときに、飲み口部の先端部側に対応するフード部の先端部から飲み口部の屈曲部に対応するフード部の屈曲対応部にわたって当接突部が形成されている。
このため、フード部の先端部側に当接突部が形成されているので、最も摩擦抵抗が生じ易い端部に前記当接突部が形成されている。
つまり、フード部の先端側は、被覆位置から開放位置にかけて常に飲み口部と接触しており、しかも、屈曲された飲み口部が飲用状態に戻ろうとする力の影響を最も受ける部位であり、更に、摩擦抵抗に伴って開放位置に入る直前に、飲み口部における屈曲部が引き込まれるおそれもあって、最も摩擦抵抗が強い部位となる。そのため、フード部の先端側まで当接凸部を移動方向に沿って形成することで、フード部の移動に伴い、フード部の先端部が飲み口部の先端部側を引き込み、フード部の移動を阻害することを未然に防止することができる。
また、当接突部は、フード部の先端部から飲み口部の屈曲部に対応するフード部の屈曲対応部まで形成されている。つまり、フード部における屈曲対応部では、摩擦抵抗による影響は先端部側よりも小さいものの、被覆位置で確実に飲み口部の屈曲状態を維持する必要があり、屈曲対応部に設けられた当接突部によって、飲み口部の屈曲を保つことができる。
このように、当接突部が、飲み口部から当接部分にかけてのみに設けられているので、前記当接突部を最も効率的に配置する構成となっている。
【手続補正８】
【補正対象書類名】明細書
【補正対象項目名】００１３
【補正方法】変更
【補正の内容】
【００１３】
好ましくは、請求項２の発明によれば、請求項１の構成において、前記フード部を前記被覆位置としたときに、前記フード部の前記屈曲対応部に形成された前記当接突部の近傍に、複数の筋状とされた押さえリブが相互に平行となるように配置されていることを特徴とする飲料容器である。
【手続補正９】
【補正対象書類名】明細書
【補正対象項目名】００１４
【補正方法】変更
【補正の内容】
【００１４】
請求項２の構成によれば、フード部を被覆位置とした際、当接突部の近傍に、複数の筋状とされた押さえリブが相互に平行となるように配置されている。
飲み口部の屈曲部は、被覆状態で確実に屈曲されないと、容器本体に収容された飲料が、飲み口部から漏れ出してしまうおそれがある。そこで、飲み口部の屈曲部に対する当接突部である屈曲対応部に、押さえリブを配置し、先端部よりも強く接触するよう構成することで、確実に被覆位置における屈曲部における屈曲を維持することができ、飲み口部からの漏れを防ぐことができる。
【手続補正１０】
【補正対象書類名】明細書
【補正対象項目名】００１５
【補正方法】変更
【補正の内容】
【００１５】
好ましくは、請求項３の発明によれば、請求項１又は請求項２の構成において、前記フード部の外側には、利用者が操作するための操作部が形成されており、前記操作部は、前記フード部の前記先端部から離間した位置である前記フード部の中央部領域に形成されていることを特徴とする飲料容器である。
【手続補正１１】
【補正対象書類名】明細書
【補正対象項目名】００１６
【補正方法】変更
【補正の内容】
【００１６】
請求項３の構成によれば、操作部は、フード部の先端部から離間した位置であるフード部の中央部領域に形成されている。
フード部の先端部側は、飲み口部と最も摩擦抵抗が強い部分と成っているため、フード部の先端部側に操作部を形成し、利用者が操作部を操作すると、利用者の操作によって、指で抑える方向に力がかかってしまい、より摩擦力が大きくなり、フード部の移動を阻害するおそれがある。更にフード部外面の先端側や後端側に操作部を形成すると、先端側の場合は被覆位置、後端側の場合は開放位置に配置された場合、操作部に指を配置しづらく、操作を行い難くなってしまう。
そこで、本発明では、操作部をフード部の先端部から離間した位置であるフード部の中央部領域に形成し、利用者の操作に際して加わる力によって、フード部の移動を阻害せず、操作しやすいようになっている。
【手続補正１２】
【補正対象書類名】明細書
【補正対象項目名】００１７
【補正方法】変更
【補正の内容】
【００１７】
好ましくは、請求項４の発明によれば、請求項１乃至請求項３のいずれかに記載の構成において、前記飲み口支持部は、通気部と、前記飲み口部を装着する飲み口装着部と、を有し、前記通気部は、屈曲状態で前記フード部内に収容された前記飲み口部の屈曲部近傍に形成されており、前記通気部と前記飲み口装着部の間に、前記飲み口部を屈曲させるための屈曲案内部が形成されていること特徴とする飲料容器である。
【手続補正１３】
【補正対象書類名】明細書
【補正対象項目名】００１８
【補正方法】変更
【補正の内容】
【００１８】
請求項４の構成によれば、飲み口支持部には、通気部が形成されているので、飲料容器の利用者が前記飲み口部を吸引することに伴う容器本体内の陰圧の発生を未然に防ぐことができる。また、容器本体内にお湯を入れると容器本体内が陽圧になり、飲み口部からお湯が噴き出すおそれがあるが、本発明では通気部によって陽圧の発生を防ぎ、お湯の噴き出し等を未然に防ぐことができる。
また、通気部は、飲み口支持部のうち、屈曲状態でフード部内に収容された飲み口部によって覆われる屈曲部近傍に形成される。
このため、飲料容器の携帯時等に、通気部は、飲み口部によって覆われるため、通気部から容器本体内の飲料が漏れ出すことを未然に防ぐことができる。
更に、通気部と飲み口装着部の間に、飲み口部を屈曲させるための屈曲案内部が形成されている。
このため、飲み口部は、屈曲案内部によって所定の位置で精度良く折り曲げられるため、フード部を被覆位置に移動させると、フード部により飲み口部は、精度良く前記通気部を覆うと共に、屈曲に伴って閉止されるように配置されることになり、通気部からの飲料の漏れをより確実に防止することができる。
【手続補正１４】
【補正対象書類名】明細書
【補正対象項目名】００１９
【補正方法】変更
【補正の内容】
【００１９】
好ましくは、請求項５の発明によれば、請求項１乃至請求項４のいずれかに記載の構成において、前記容器本体の前記蓋部側に利用者が指を配置するための保持部が設けられていることを特徴とする飲料容器である。
【手続補正１５】
【補正対象書類名】明細書
【補正対象項目名】００２０
【補正方法】変更
【補正の内容】
【００２０】
請求項５の構成によれば、容器本体に保持部が設けられているので、利用者が、操作部に一方の手の指を配置し、一方の手の他指や他方の手を配置することで、容器本体を保持して、フード部の操作を行い易くなる。